(57)【特許請求の範囲】
【請求項１】
プラスチック基材フイルムと他のフイルムを積層したラミネートフイルムから構成された背貼り部を有する包装袋において、袋の開封予定部にそって袋上端部と略平行に、開封側側端部から見て開封方向と同じ方向に向けて倒された背貼り部の裏側外端から袋の開封予定部を鉢巻状に周回し、その終端が背貼り部のシールエッジには達せず背貼り部のシールエッジ近辺が未加工部とされている帯状の易開封加工部が、プラスチック基材フイルム層に設けられていることを特徴とする易開封性包装袋。
【発明の詳細な説明】
【０００１】
【発明の属する技術分野】
本発明は、日用品、各種食品、菓子、飲料等の固体または液体の包装に使用される、開封が容易なラミネートフイルム製の背貼り部を有する包装袋、該包装袋用フイルム及びその製造方法に関するものである。
【０００２】
【従来の技術】
プラスチックフイルムを基材とし、これに他のフイルムを積層したプラスチックラミネートフイルム製の背貼り部を有する包装袋は、引裂き強度が高く、外力を加えても破れることが殆どないので、日用品、各種食品、菓子、飲料等の固体または液体用の包装袋として、広く用いられている。この種の包装袋では、素材の引裂き強度が高いために手により開封することが難しく、開封を容易にするために、包装袋の上端部近辺に上端部と平行に１本のミシン目を設けたものが提案されている。（例えば、実開昭５７−２０２９６６号公報）
しかしながら、１本のミシン目を設けたものは、製袋時の折り曲げ成形を正確に行わなければならず、表裏のミシン目がずれた場合には、開封しににくなるという欠点がある。一方、数本のミシン目を設けた場合には、開封時の切り口が背貼り部のシールエッジで袋の縦方向に逸脱するという問題が生じる。
【０００３】
また、プラスチックラミネートフイルム製の包装袋を任意の場所から開封するために、袋の側端部に全長にわたって開封用粗面部を形成したものも提案されている。（実開昭６３−５４６５９号公報、実用新案登録第２５１８８５８号公報）
しかしながら、包装袋の側縁部に開封用粗面部を形成した場合には、自動製袋充填機により内容物を充填した際に、袋の下部が座屈荷重を受けて折れ曲がり、開封用粗面部が破損し内容物がもれることがあり、また、開封時に開封方向が一定せず内容物がこぼれることがある等の欠点があった。
【０００４】
【発明が解決しようとする課題】
本発明は、このような実情に鑑みてなされたものであり、手で容易に開封することができるとともに、開封時の切り口が一定し背貼り部近辺で縦方向に逸脱することがなく、しかも内容物の充填性や密封性に優れた背貼り部を有する易開封性包装袋、該包装袋用フイルム及びその製造方法を提供することを目的とするものである。
【０００５】
【課題を解決するための手段】
本発明では、プラスチック基材フイルムと他のフイルムを積層したラミネートフイルムから構成された背貼り部を有する包装袋において、袋の開封予定部にそって袋上端部と略平行に、開封側側端部から見て開封方向と同じ方向に向けて倒された背貼り部の裏側外端から袋の開封予定部を鉢巻状に周回し、その終端が背貼り部のシールエッジには達せず背貼り部のシールエッジ近辺が未加工部とされている帯状の易開封加工部を、プラスチック基材フイルム層に設けることによって、目的とする包装袋を得たものである。
【０００６】
すなわち、本発明の易開封性包装袋は、袋の開封予定部にそって袋上端部と略平行に、開封側側端部から見て開封方向と同じ方向に向けて倒された背貼り部の裏側外端から袋の開封予定部を鉢巻状に周回し、その終端が背貼り部のシールエッジには達せず背貼り部のシールエッジ近辺が未加工部とされている帯状の易開封加工部を、プラスチック基材フイルム層に設けることを特徴とするものである。帯状の易開封加工部を袋の開封予定部の全周に連続したものとして形成した場合には、袋の開封時に切り口が背貼り部のシールエッジで縦方向に逸脱して一定した切り口が得られず、内容物がこぼれるおそれが生じる。
【０００７】
【発明の実施の形態】
以下に、本発明の内容について具体的に説明する。
本発明の包装袋を構成するラミネートフイルムのプラスチック基材フイルムとしては、特に制限はなく、通常包装袋に用いられるものはいずれも使用可能である。
プラスチック基材フイルムに適した材料としては、例えば結晶性ポリプロピレン、結晶性プロピレン−エチレン共重合体、結晶性ポリブテン−１、結晶性ポリ４−メチルペンテン−１、低−、中−、或いは高密度ポリエチレン、エチレン−酢酸ビニル共重合体（ＥＶＡ）、エチレン−アクリル酸エチル共重合体（ＥＥＡ）、イオン架橋オレフィン共重合体（アイオノマー）等のポリオレフィン類；ポリスチレン、スチレン−ブタジエン共重合体等の芳香族ビニル共重合体；ポリ塩化ビニル、塩化ビニリデン樹脂等のハロゲン化ビニル重合体；アクリロニトリル−スチレン共重合体、アクリロニトリル−スチレン−ブタジエン共重合体の如きニトリル重合体；ナイロン６、ナイロン６６、パラまたはメタキシリレンアジパミドの如きポリアミド類；ポリエチレンテレフタレート、ポリテトラメチレンテレフタレート等のポリエステル類；各種ポリカーボネート；ポリオキシメチレン等のポリアセタール類等の熱可塑性樹脂を挙げることができる。
これらの材料からなるプラスチック基材フイルムは未延伸の、或いは一軸又は二軸延伸したフイルムとして用いられる。
【０００８】
プラスチック基材フイルムは、必要によりアンカーコート層を介して他のフイルムに積層され、包装袋を構成するラミネートフイルムとなる。
アンカーコート層を形成する材料としては、ポリエチレンイミン樹脂、アルキルチタネート樹脂、ポリエステルーイソシアネート系樹脂、ウレタン樹脂、エポキシ樹脂等から選ばれた接着性樹脂を使用する。
【０００９】
ラミネートフイルムを構成する他のフイルムとしては、特に制限はなく、通常包装袋に用いられるものはいずれも使用可能である。
他のフイルムに適した材料としては、上記基材フイルムとして使用されるプラスチックフイルム、アルミニウム等の金属箔、紙、セロファン等が挙げられるが、通常はプラスチックの単層フイルム又はプラスチックフイルムを含む複層フイルムを使用する。複層フイルムの例としては、上記のプラスチックフイルムの２種以上を積層したものや、これらのプラスチックフイルムの１種又は２種以上と、アルミニウム等の金属箔、紙、セロファン等を積層したものが挙げられる。好適な複層フイルムの例としては、ポリエチレン／アルミ箔、ポリエチレン／ポリオレフィン、ポリエチレン／アルミ箔／ポリオレフィン、等からなる積層フイルムが挙げられる。
【００１０】
本発明では、図１にみられるように、上記ラミネートフイルムから構成される包装袋１の開封予定部にそって帯状の易開封加工部２を鉢巻状に形成するが、この帯状の易開封加工部２は背貼り部５のシールエッジ近辺が未加工部とされている。
図１の包装袋では、帯状の易開封加工部２は、袋上端部と略平行に背貼り部５の裏側外端６からシールエッジ部７、袋左側端部８，袋裏側、袋右側端部９を鉢巻状に周回し、その終端４は背貼り部５のシールエッジ７には達しないもの、すなわち鉢巻状の易開封加工部２が背貼り部５のシールエッジ７近辺で未加工部とされたものとして形成されている。
【００１１】
図１の包装袋は矢印方向に右側端部９から開封され、符号３は開封時の切り口を示す。帯状の易開封加工部２の終端がシールエッジ７を越えて背貼り部５の外端６まで達するもの、即ち連続する鉢巻状のものとなるように形成した場合には、袋の開封時に切り口３が背貼り部５のシールエッジ部７で袋の引裂き強度が大きくなることから、上又は下方向に逸脱し、一定した切り口とならず内容物がこぼれるおそれが生じる。
本発明では、鉢巻状の易開封加工部を背貼り部のシールエッジ近辺で未加工部とすることによって、開封時に一定方向の切り口が得られる包装袋を提供することに成功したものである。
【００１２】
砂糖、ミルク等のスティック包装のような袋幅の狭い袋の場合、開封の際袋を指でつまんだとき、同時に背貼り部５もつまむことができるので引き裂き開封に対して袋を構成するラミネートフイルムが一体化され、力が一点に集中しやすいことと、指が引き裂き開封のガイドとなり一定した切り口となる。
しかし、袋をつまんだとき、背貼り部５を同時につまむことができないような、特に袋幅が３ｃｍ程度以上のものについては、シールエッジ部７での縦方向の逸脱が顕著に現れる。
【００１３】
開封時にシールエッジ部７で縦方向に逸脱しない安定した切り口を得るには、易開封加工部２の終端４とシールエッジ７との距離ｂが、包装袋の開封側側端部９とシールエッジ７との距離（ａ＋ｂ）の１０％以上９０％以下の距離であることが好ましい。距離ｂが包装袋の開封側側端部９とシールエッジ７との距離の１０％未満となると未加工部を形成した効果が小さくなり、シールエッジ７から縦方向に切り口が逸脱しやすくなり、また、９０％を超えると引き裂き開封しにくくなる。
【００１４】
本発明の易開封性包装袋を製造するには、プラスチック基材フイルムにラミネート時、袋の開封予定部となる位置に袋上端部となる部分と略平行に帯状の易開封加工部２を設けた包材１１を形成する。そしてこの包材１１をラミネート後スリット加工し、折り曲げ加工、ヒートシール加工し、内容物を充填後充填口をヒートシールして製品とするが、これらの工程は自動製袋充填機により行うこともできる。また、上記易開封加工は、スリット時、製袋時、または別工程で行うこともできる。
【００１５】
本発明の易開封性包装袋を構成する、ラミネートフイルム（包材１１）に形成する帯状の易開封加工部の形状や加工部を形成する方法等に特に制限はない。加工部の形状としては、例えば連続するハの字形のスコア加工、ミシン目加工、微細な凹凸加工等が挙げられ、これらを適宜組み合わせることもできる。また加工部の加工孔の状態としては、外層となる基材フイルムを貫通するもの、貫通しないもの、部分的に貫通するもののいずれともすることができる。
【００１６】
これらの易開封加工部を形成する方法としては、例えば連続するハの字形の刃、及び／又は砥石等を有する加工工具と押圧ロールの間にフイルムを通過させ、加工工具に対して押圧ロールを押しつけて機械的に加工する方法や、レーザ光によるレーザ加工、コロナ放電やプラズマ放電のような放電加工等があげられる。ラミネートフイルム（包材１１）に易開封加工部を形成する手順としては、（１）外層となるプラスチック基材フイルムに易開封加工部を形成した後に他のフイルムと積層する方法、（２）外層となるプラスチックフイルムと他のフイルムを積層した後に基材フイルムに易開封加工部を形成する方法のいずれでもよい。刃物、砥石等による機械加工により易開封加工部を形成するには、（１）の方法が好適であり、レーザ加工、放電加工等により易開封加工部を形成するには、（２）の方法が好ましい。
【００１７】
本発明の対象となる易開封性包装袋の形状には特に制限はなく、背貼り部を有する包装袋であればどのようなものでもよいが、通常は図１のいわゆるピロー袋や図３のガゼット袋が好適なものとして挙げられる。
【００１８】
【実施例】
以下、本発明の実施例について説明するが、これらの実施例は本発明を限定するものではない。
（実施例１）
片面に印刷を施した厚さ１２μのポリエチレンテレフタレートフイルムを基材フイルムとして使用し、印刷面にアンカーコート層となるウレタン系アンカーコート剤を塗布ロールにより塗布後、乾燥オーブン中で乾燥して溶媒を完全に除去した。引き続きこの乾燥フイルムを、アンカーコート層が押圧ロールに接するように、押圧ロールと図１におけるピロー袋１の製造時に袋の上端部となる部分に略平行に帯状の易開封加工部が形成されるように連続したハの字形の刃を設けた加工工具の間を通過させて、基材フイルムの外側から、基材フイルムに帯状の開封用表面加工部２を形成した。
引続きこの加工フイルムのアンカーコート層と、厚さ７μのアルミ箔の中間に厚さ１５μの低密度ポリエチレン樹脂層を押出しラミネート法によって形成し、さらにアルミ箔上に厚さ１５μの低密度ポリエチレン樹脂層、厚さ３０μの低密度ポリエチレンを順次積層してラミネートフイルムをロール状に捲き取った。このラミネートフイルムの層構成は、１２μポリエチレンテレフタレート（基材）／印刷層／アンカーコート層／１５μ低密度ポリエチレン／７μアルミ箔／１５μ低密度ポリエチレン／３０μ低密度ポリエチレンである。
このラミネートフイルムを裁断後、通常の自動製袋充填機により折り曲げヒートシール加工を行い、図１のピロー袋１を得た。このピロー袋１の巾は３９．５ｍｍ、長さは１６９ｍｍで、背貼り部５のシール巾は６ｍｍであり、帯状の易開封加工部２は袋上端部から５ｍｍ下方に巾３０ｍｍにわたって形成されている。この際に、易開封加工部２の終端４と背貼り部５のシールエッジ７との距離ｂを変えたものを形成し、内容物を充填後上端開口部をヒートシールし、図１の矢印方向に手で開封した際の切り口の状態を観察した。表１にそれぞれ１００袋の袋を開封し、開封の際の切り口の状態を観察した結果を示す。
【００１９】
（実施例２）
実施例１と同じ層構成のラミネートフイルムから、袋の幅は６２ｍｍ、長さ１１５ｍｍで背貼り部５のシール幅は１０ｍｍであり、帯状の易開封加工部２は袋上端部から５ｍｍ下方に幅３０ｍｍにわたって形成したピロー袋を同様な方法で得た。このピロー袋を使用し実施例１と同様な試験を行い、切り口の状態を観察した。結果を表１に示す。
【００２０】
【表１】
0003681250.tif 000002
【００２１】
【発明の効果】
本発明では、プラスチック基材フイルムと他のフイルムを積層したラミネートフイルムから構成された背貼り部を有する包装袋において、袋の開封予定部にそって袋上端部と略平行に、開封側側端部から見て開封方向と同じ方向に向けて倒された背貼り部の裏側外端から袋の開封予定部を鉢巻状に周回し、その終端が背貼り部のシールエッジには達せず背貼り部のシールエッジ近辺が未加工部とされている帯状の易開封加工部を、プラスチック基材フイルム層に設けることによって、手で容易に開封することができるとともに、開封時の切り口が一定し背貼り部近辺で縦方向に逸脱することがなく、しかも内容物の充填性や密封性に優れた背貼り部を有する易開封性包装袋、及び該包装袋用フイルムを得ることができる。そして、本発明の包装袋では易開封加工部が帯状に設けられているために、袋を開封する範囲を広く取ることができ、また袋表裏で加工ずれが生じても支障なく容易に開封できるものであり、実用的価値がきわめて高いものである。
【図面の簡単な説明】
【図１】本発明の包装袋の１例を示す模式図である。
【図２】図１の包装袋製造用のフイルムを示す模式図である。
【図３】本発明の包装袋の他の例を示す模式図である。
【符号の説明】
１        ピロー袋
２        易開封加工部
３        切り口
４        易開封加工部終端
５        背貼り部
６        背貼り部の外端
７        背貼り部のシールエッジ
９        開封側側端部
１１      包材
２１      ガゼット袋
【図１】
0003681250.tif 000003
【図２】
0003681250.tif 000004
【図３】
0003681250.tif 000005